(57)【要約】【課題】並行して実行可能な各機能の履歴情報を解析し易くすることができる情報処理装置及び履歴情報管理プログラムを提供する。【解決手段】ユーザインタフェース２４で設定が受け付けられた入力内容を示す情報、及び複数の機能の実行状況を示す情報を履歴情報としてＲＡＭ５２に順次記憶させると共に、ユーザインタフェース２４で機能の実行の指示が受け付けられた場合に、その時点でＲＡＭ５２に記憶されている当該機能に関する履歴情報をまとめてＨＤＤ５６に記憶させる制御を行なう。【選択図】図６
2009010742.tif 000002
【特許請求の範囲】
【請求項１】
各々並行して実行可能な複数の機能のうち、実行する機能に関する条件の入力、及び当該機能の実行の指示の入力を受け付ける受付手段と、
前記受付手段において受け付けられる入力内容を示す情報、及び前記複数の機能の実行状況を示す情報を記憶するための記憶手段と、
前記受付手段で受け付けられた入力内容を示す情報、及び前記複数の機能の実行状況を示す情報を前記記憶手段に順次記憶させると共に、前記受付手段で機能の実行の指示が受け付けられた場合に、前記記憶手段に記憶されている当該機能に関する前記情報をまとめて前記記憶手段に記憶させる制御を行なう制御手段と、
を備えた情報処理装置。
【請求項２】
前記制御手段は、前記記憶手段の予め定められた第１記憶領域に前記順次記憶させる前記情報を記憶可能な空領域が有る場合には当該情報を前記第１記憶領域に時系列順に記憶させ、前記第１記憶領域に前記情報を記憶可能な空領域が無い場合には当該情報を前記第１記憶領域の最も古い情報が記憶された記憶領域に上書して記憶させる制御を行なう
請求項１記載の情報処理装置。
【請求項３】
前記制御手段は、前記受付手段で機能の実行の指示が受け付けられた場合に、前記第１記憶領域に記憶されている当該機能に関する前記情報を前記記憶手段の前記第１記憶領域とは異なる記憶領域に記憶させた後、前記第１記憶領域に記憶されている少なくとも前記機能に関する情報を消去する制御を行なう
請求項２記載の情報処理装置。
【請求項４】
前記制御手段は、前記受付手段で機能の実行を指示したユーザを識別する識別情報を当該機能に関するまとめた前記情報に関連付けて前記記憶手段に記憶させる制御を行なう
請求項１〜請求項３の何れか１項記載の情報処理装置。
【請求項５】
コンピュータを
各々並行して実行可能な複数の機能のうち、実行する機能に関する条件の入力、及び当該機能の実行の指示の入力を受け付ける受付手段において受け付けられる入力内容を示す情報、及び前記複数の機能の実行状況を示す情報を記憶するための記憶手段に、前記受付手段で受け付けられた入力内容を示す情報、及び前記複数の機能の実行状況を示す情報を順次記憶させると共に、前記受付手段で機能の実行の指示が受け付けられた場合に、前記記憶手段に記憶されている当該機能に関する前記情報をまとめて前記記憶手段に記憶させる制御を行なう制御手段、
として機能させる履歴情報管理プログラム。
【請求項６】
コンピュータを
前記記憶手段の予め定められた第１記憶領域に前記順次記憶させる前記情報を記憶可能な空領域が有る場合には当該情報を前記第１記憶領域に時系列順に記憶させ、前記第１記憶領域に前記情報を記憶可能な空領域が無い場合には当該情報を前記第１記憶領域の最も古い情報が記憶された記憶領域に上書して記憶させる制御を行なう前記制御手段、
として機能させる請求項５記載の履歴情報管理プログラム。
【請求項７】
コンピュータを
前記受付手段で機能の実行の指示が受け付けられた場合に、前記第１記憶領域に記憶されている当該機能に関する前記情報を前記記憶手段の前記第１記憶領域とは異なる記憶領域に記憶させた後、前記第１記憶領域に記憶されている少なくとも前記機能に関する情報を消去する制御を行なう前記制御手段、
として機能させる請求項６記載の履歴情報管理プログラム。
【発明の詳細な説明】
【技術分野】
【０００１】
この発明は、情報処理装置及び履歴情報管理プログラムに関する。
【背景技術】
【０００２】
従来より、各々並行して実行可能な複数の情報処理機能を備えた情報処理装置が知られている。例えば、印刷（プリント）機能やファクシミリ機能、複写（コピー）機能を備えた複合機には、各機能を各々並行して実行可能とされているものがある。
【０００３】
ところで、このような複数の機能を並行して実行可能な情報処理装置において、装置の使用状況や各機能の実行状況を監視するための技術として、特許文献１には、ユーザ・インターフェース上のコマンドや機能キーなどのユーザによる選択を監視し、入力内容を示す情報、及び各機能の実行状況を示す情報をログ（履歴情報）として記録し、ターゲット・アプリケーションの毎セッション終了時、又は数セッション終了時に、記録されたログをデコードしてメッセージを作成し、それをインターネットメールで指定場所へ送信する技術が提案されている。
【特許文献１】特開２００１−２２２４８４号公報
【発明の開示】
【発明が解決しようとする課題】
【０００４】
本発明は、並行して実行可能な各機能の履歴情報には有用な情報と不要な情報とが混在することがあり、有用な情報と不要な情報とを考慮することなく履歴情報を記憶した場合、有用な情報を正確に取得できない、という課題があった。
【課題を解決するための手段】
【０００５】
請求項１に記載の発明は、各々並行して実行可能な複数の機能のうち、実行する機能に関する条件の入力、及び当該機能の実行の指示の入力を受け付ける受付手段と、前記受付手段において受け付けられる入力内容を示す情報、及び前記複数の機能の実行状況を示す情報を記憶するための記憶手段と、前記受付手段で受け付けられた入力内容を示す情報、及び前記複数の機能の実行状況を示す情報を前記記憶手段に順次記憶させると共に、前記受付手段で機能の実行の指示が受け付けられた場合に、前記記憶手段に記憶されている当該機能に関する前記情報をまとめて前記記憶手段に記憶させる制御を行なう制御手段と、を備えている。
【０００６】
また、請求項２記載の発明は、請求項１記載の発明において、前記制御手段が、前記記憶手段の予め定められた第１記憶領域に前記順次記憶させる前記情報を記憶可能な空領域が有る場合には当該情報を前記第１記憶領域に時系列順に記憶させ、前記第１記憶領域に前記情報を記憶可能な空領域が無い場合には当該情報を前記第１記憶領域の最も古い情報が記憶された記憶領域に上書して記憶させる制御を行なうものである。
【０００７】
また、請求項３記載の発明は、請求項２記載の発明において、前記制御手段が、前記受付手段で機能の実行の指示が受け付けられた場合に、前記第１記憶領域に記憶されている当該機能に関する前記情報を前記記憶手段の前記第１記憶領域とは異なる記憶領域に記憶させた後、前記第１記憶領域に記憶されている少なくとも前記機能に関する情報を消去する制御を行なうものである。
【０００８】
さらに、請求項４記載の発明は、請求項１〜請求項３の何れか１項記載の発明において、前記制御手段が、前記受付手段で機能の実行を指示したユーザを識別する識別情報を当該機能に関するまとめた前記情報に関連付けて前記記憶手段に記憶させる制御を行なうものである。
【０００９】
一方、請求項５に記載の発明は、コンピュータを、各々並行して実行可能な複数の機能のうち、実行する機能に関する条件の入力、及び当該機能の実行の指示の入力を受け付ける受付手段において受け付けられる入力内容を示す情報、及び前記複数の機能の実行状況を示す情報を記憶するための記憶手段に、前記受付手段で受け付けられた入力内容を示す情報、及び前記複数の機能の実行状況を示す情報を順次記憶させると共に、前記受付手段で機能の実行の指示が受け付けられた場合に、前記記憶手段に記憶されている当該機能に関する前記情報をまとめて前記記憶手段に記憶させる制御を行なう制御手段、として機能させるものである。
【００１０】
また、請求項６記載の発明は、請求項５記載の発明において、コンピュータを、前記記憶手段の予め定められた第１記憶領域に前記順次記憶させる前記情報を記憶可能な空領域が有る場合には当該情報を前記第１記憶領域に時系列順に記憶させ、前記第１記憶領域に前記情報を記憶可能な空領域が無い場合には当該情報を前記第１記憶領域の最も古い情報が記憶された記憶領域に上書して記憶させる制御を行なう前記制御手段、として機能させるものである。
【００１１】
さらに、請求項７記載の発明は、請求項６記載の発明において、コンピュータを、前記受付手段で機能の実行の指示が受け付けられた場合に、前記第１記憶領域に記憶されている当該機能に関する前記情報を前記記憶手段の前記第１記憶領域とは異なる記憶領域に記憶させた後、前記第１記憶領域に記憶されている少なくとも前記機能に関する情報を消去する制御を行なう前記制御手段、として機能させるものである。
【発明の効果】
【００１２】
請求項１または請求項５に記載の発明によれば、並行して実行可能な各機能の情報のうち有用な情報を取得できる、という優れた効果を有する。
【００１３】
また、請求項２または請求項６に記載の発明によれば、情報が多数記憶されて記憶手段の記憶領域が圧迫されてしまうことを防止できる、という優れた効果を有する。
【００１４】
また、請求項３または請求項７に記載の発明によれば、実行された機能に関する同一の情報が重複してまとめられることを防止することができる、という優れた効果を有する。
【００１５】
さらに、請求項４に記載の発明によれば、機能の実行を指示したユーザを特定することができる、という優れた効果を有する。
【発明を実施するための最良の形態】
【００１６】
以下、図面を参照して、本発明の実施の形態について詳細に説明する。なお、以下では、本発明を複合機に適用した場合について説明する。
【００１７】
図１には、本実施の形態に係る複合機１０の全体構成が示されている。
【００１８】
同図に示すように、本実施の形態に係る複合機１０は、ネットワーク８０を介して、例えば、パーソナル・コンピュータ（以下、「ＰＣ」という。）８２等の多数の端末装置に接続されており、各端末装置から共有して利用可能とされている。
【００１９】
ＰＣ８２では、例えば、ユーザによって文書等が作成されて印刷が指示された場合、印刷対象とする文書を示す印刷データを複合機１０へ送信する。
【００２０】
複合機１０は、ネットワーク８０を介して印刷データを受信すると、当該印刷データに基づき、当該印刷データにより示される文書の印刷を行なう。
【００２１】
また、本実施の形態に係る複合機１０は、電話回線等の一般通信回線８４とも接続されており、当該一般通信回線８４を介してファクシミリ通信を行うことが可能とされている。
【００２２】
図２には、本実施の形態に係る複合機１０の詳細な構成が示されている。
【００２３】
同図に示すように、複合機１０は、画像形成部１２と、この画像形成部１２の上方に設けられた原稿読取部１４と、を備えている。なお、本実施の形態に係る原稿読取部１４には、当該原稿読取部１４の開閉蓋を兼用する原稿搬送装置１６が設けられている。
【００２４】
原稿読取部１４には、その上面に原稿を載せるための透明のガラス板で形成されたプラテンガラス（図示省略）が設置され、原稿読取領域となっている。
【００２５】
また、原稿読取部１４には、ユーザが原稿読取、或いは複写指示等を入力操作するためのユーザインタフェース２４が配設されている。ユーザインタフェース２４にはタッチパネルディスプレイに表示されソフトウェアプログラムにより入力を実現する表示ボタンや、テンキーやスタートボタン等のハードウェアボタンなどが設けられ、複写枚数設定や倍率設定に利用されると共に、ファクシミリ送信時の電話機のダイヤルキーとしても利用される。すなわち、原稿読取部１４は、コピー時の原稿読取機能と、ファクシミリ送信時の原稿読取機能とを併せ持っている。なお、コピー機能は前記画像形成部１２と原稿読取部１４との組合わせで実行可能である。
【００２６】
原稿搬送装置１６には、複写しようとする原稿を（複数枚の場合は重ねて）載せるフィーダートレイ２０が設けられている。この原稿搬送装置１６は、フィーダートレイ２０上に載せられた原稿（複数枚重ねられている場合は、その最上層の原稿）を、原稿反転ユニット（図示省略）へ送り込むことで、反転しながらプラテンガラス上の読取領域を通過させ、フィーダートレイ２０の下部に設けられた原稿排紙トレイ２２上に排出されるように自動搬送して原稿読取動作を実行する。
【００２７】
画像形成部１２には、装置本体下部に３段に渡って配置された給紙トレイ２６が設けられ、サイズが指定されることで、選択的に給紙トレイ２６から記録シートが給紙装置によって１枚ずつ引き出され、画像形成部１２に搬送されるようになっている。
【００２８】
画像形成部１２の内部（図示省略）には、シート材に画像を形成する感光体ドラムが配設されている。なお、画像形成部１２の内部の感光体ドラムの周囲には、帯電装置、光走査装置、現像装置、転写装置等が配設されている。感光体ドラムの周面は、帯電装置によって一様に帯電された後、光走査装置によって画像データに基づく静電潜像が形成される。この形成された静電潜像は現像装置より供給されるトナーによって現像される。その後、現像された感光体ドラム上のトナー画像が転写装置を通過することで、当該トナー画像がシート材に転写される構成となっている。画像が転写されたシート材は定着装置によって加熱、加圧処理され、画像が定着された状態で排出されるようになっている。
【００２９】
図３には、本実施の形態に係る複合機１０の電気系の要部構成が示されている。
【００３０】
同図に示すように、複合機１０は、装置全体の動作を司るＣＰＵ（中央処理装置）５０と、各種データを一時的に記憶するＲＡＭ（Random Access Memory）５２と、装置全体を制御する制御プログラムや後述する履歴情報管理プログラムを含む各種プログラム等が予め記憶されたＲＯＭ（Read Only Memory）５４と、後述する機能別履歴情報を記憶するＨＤＤ（ハード・ディスク・ドライブ）５６と、ユーザインタフェース２４に接続され、当該ユーザインタフェース２４に対する各種の操作画面の表示を制御する表示制御部５８と、ユーザインタフェース２４に接続され、当該ユーザインタフェース２４に対するユーザからの各種の操作指示を検出する操作入力検出部６０と、を備えている。この各種プログラムは、例えば、ネットワーク等の通信回線を介して外部からデータ信号として受信されてもよいし、ＤＶＤ−ＲＯＭ等、コンピュータ可読な記憶媒体に格納された状態で提供され、ＲＯＭ５４またはＨＤＤ５６に格納されたものであってもよい。
【００３１】
また、複合機１０は、上述した原稿読取部１４による光学的な画像の読み取り動作及び原稿搬送装置１６による原稿送り動作を制御する読取制御部６２と、上述した画像形成部１２による画像形成処理を制御する画像形成制御部６４と、ネットワーク８０に接続され、当該ネットワーク８０に接続された他の端末装置との間で通信データの送受信を行うネットワークＩ／Ｆ（インタフェース）部６６と、一般通信回線８４に接続され、当該一般通信回線８４に接続されたファクシミリ装置との間でファクシミリ電文の送受信を行うファクシミリＩ／Ｆ（インタフェース）部６８と、を備えている。
【００３２】
ＣＰＵ５０、ＲＡＭ５２、ＲＯＭ５４、ＨＤＤ５６、表示制御部５８、操作入力検出部６０、読取制御部６２、画像形成制御部６４、ネットワークＩ／Ｆ部６６、及びファクシミリＩ／Ｆ部６８は、システムバスＢＵＳを介して相互に接続されている。従って、ＣＰＵ５０は、ＲＡＭ５２、ＲＯＭ５４、及びＨＤＤ５６へのアクセスと、表示制御部５８を介したユーザインタフェース２４への操作画面、各種メッセージ等の各種情報の表示の制御と、読取制御部６２を介した原稿読取部１４及び原稿搬送装置１６の作動の制御と、画像形成制御部６４を介した画像形成部１２の作動の制御と、ネットワークＩ／Ｆ部６６を介した通信データの送受信の制御と、ファクシミリＩ／Ｆ部６８を介したファクシミリ電文の送受信の制御と、を各々行うことができる。また、ＣＰＵ５０は、操作入力検出部６０により検出された操作情報に基づく、ユーザインタフェース２４に対する操作内容を把握することができる。
【００３３】
次に、本実施の形態に係る複合機１０の作用を説明する。
【００３４】
本実施の形態係る複合機１０は、ユーザがユーザインタフェース２４を用いて実行する機能としてファクシミリ機能及び複写機能を指定することが可能とされている。また、複合機１０は、ネットワーク８０を介して印刷データが受信されると、当該印刷データにより示される文書を印刷する印刷機能を実行する。さらに、複合機１０は、一般通信回線８４を介してファクシミリ装置からファクシミリ電文が入力されるとファクシミリ機能を実行する。すなわち、本実施の形態に係る複合機１０は、印刷機能やファクシミリ機能、複写機能が各々並行して実行可能とされている。
【００３５】
ユーザは、複合機１０を使用する場合、ユーザインタフェース２４よりユーザＩＤを入力する。その後、ユーザは、ファクシミリ機能を使用する場合、ユーザインタフェース２４によりファクシミリ機能を指定すると共に送信先の指定操作を行なってファクシミリ送信開始を指示する。一方、ユーザは、複写機能を使用する場合、フィーダートレイ２０に複写しようとする原稿を載せて、ユーザインタフェース２４によって複写枚数設定や倍率設定を指定すると共に、複写開始を指示する。
【００３６】
ここで、本実施の形態に係る複合機１０では、ユーザインタフェース２４のタッチパネルディスプレイに表示される条件設定画面の各ボタンやテンキーに各々異なる入力コードを対応付けている。
【００３７】
例えば、本実施の形態に係る複合機１０では、複写を行なう場合、複写条件設定画面において、用紙選択ボタンとして、「Ａ４縦」「Ａ４横」「Ａ３」「Ｂ４」を表示し、倍率選択ボタンとして、「等倍」「自動」「７０％」「８６％」「１４１％」を表示するものとしているが、この各用紙選択ボタンに入力コードとしてＡ１〜Ａ４を対応付け、各倍率選択ボタンに入力コードとしてＡ５〜Ａ９を対応付けている。
【００３８】
また、例えば、本実施の形態に係る複合機１０では、ファクシミリ送信を行なう場合、ＦＡＸ条件設定画面において、用紙選択ボタンとして、「Ａ４縦」「Ａ４横」「Ａ３」「Ｂ４」を表示し、送信品質ボタンとして、「普通」「高画質」「超高画質」を表示するものとしているが、この各用紙選択ボタンに入力コードとしてＢ１〜Ｂ４を対応付け、各送信品質ボタンに入力コードとしてＢ５〜Ｂ７を対応付けている。なお、本実施の形態では、複写機能とファクシミリ機能とにおいて同じサイズの用紙を指定する用紙選択ボタンに対して異なる入力コードを対応させているが、同じ内容の指定する場合に同一の入力コードを対応させてもよい。
【００３９】
さらに、例えば、本実施の形態に係る複合機１０では、ユーザインタフェース２４にテンキーや機能の実行を指示するためのスタートボタン、機能の中止を指示するためのキャンセルボタン、送信頻度の高い宛先のダイヤル番号が登録された短縮ダイヤルボタンなどのハードウェアのボタンが設けられているが、このテンキーの［０］〜［９］に入力コードとしてＨ００〜Ｈ０９を対応付け、テンキーの［＊］［＃］に入力コードとしてＨ１０〜Ｈ１１を対応させ、スタートボタンに入力コードとしてＨ１２を対応付けている。
【００４０】
本実施の形態に係る複合機１０では、このように条件設定画面の各ボタンやテンキーなどに各々異なる入力コードを対応付けており、複写機能やファクシミリ機能が使用される際にユーザからユーザインタフェース２４を介して入力された入力内容を示す入力コード、及び印刷機能や、複写機能、ファクシミリ機能を含む各機能の実行状況を示す情報を履歴情報としてＲＡＭ５２の予め定められた履歴情報記憶領域に順次記憶させている。
【００４１】
図４には、ＲＡＭ５２の履歴情報記憶領域に記憶された履歴情報を模式的に示した模式図が示されている。
【００４２】
同図に示すように、本実施の形態では、履歴情報記憶領域内のデータ書込位置のアドレスをポインタで管理しており、データ書込位置のアドレスが履歴情報記憶領域の末尾のアドレスを超える場合に履歴情報記憶領域の先頭アドレスにデータ書込位置のアドレスを戻すことによって履歴情報記憶領域の先頭アドレスと末尾アドレスとを仮想的に連続させた所謂リングバッファ方式を採用してデータ書込位置を管理している。これにより、履歴情報記憶領域に履歴情報を記憶可能な空領域が有る場合には当該履歴情報が履歴情報記憶領域に時系列順に記憶され、履歴情報記憶領域に履歴情報を記憶可能な空領域が無い場合には当該履歴情報が履歴情報記憶領域の最も古い履歴情報が記憶された記憶領域に上書して記憶される。本実施の形態では、情報記憶領域への記録方法として所謂リングバッファ方式を採用してデータ書込位置を関する方法で説明を行なったが、これに限定されるものではなく、他の記録方式を採用してもよい。そして、本実施の形態に係る複合機１０では、ユーザインタフェース２４によりファクシミリ機能又は複写機能の実行が指示された場合に、ＲＡＭ５２の履歴情報記憶領域に記憶された履歴情報からユーザインタフェース２４により実行が指示された機能に関する履歴情報を抽出し、抽出した履歴情報をユーザインタフェース２４により実行が指示された機能に関する履歴情報としてＨＤＤ５６に記憶させる制御を行なっている。
【００４３】
図５には、ユーザインタフェース２４によりファクシミリ機能又は複写機能の実行が指示された場合にＣＰＵ５０により実行される履歴情報管理プログラムの処理の流れを示すフローチャートが示されている。なお、当該プログラムはＲＯＭ５４の所定の領域に予め記憶されている。
【００４４】
同図のステップ１００では、ユーザインタフェース２４に入力された指示内容に基づき、実行が指示された機能を特定する。
【００４５】
次のステップ１０２では、上記ステップ１００において特定した機能に関する履歴情報をＲＡＭ５２の履歴情報記憶領域から時系列順に全て抽出する。
【００４６】
次のステップ１０４では、上記ステップ１０２において抽出した履歴情報をまとめて操作ログとして、実行が指示された機能の実行結果を示すジョブ履歴に関連付けてＨＤＤ５６に記憶させる。
【００４７】
図６には、本実施の形態に係るジョブ履歴のデータ構造の一例が示されている。
【００４８】
同図に示すように、ジョブ履歴には、機能を実行する際にユーザインタフェース２４を介して入力された入力内容を示す入力コードが操作ログとして、機能が実行が指示された日時、実行が指示された機能名、実行を指示したユーザ名、指示された用紙サイズなどの情報などと関連付けて記憶される。なお、図６に示すように、プリント機能は、ネットワーク８０を介して印刷データが受信されることによって実行されるため、操作ログがない状態となっている。
【００４９】
これにより、機能を実行する際にユーザインタフェース２４を介して入力された入力内容が特定可能となり、各機能の履歴情報が解析し易くなる。
【００５０】
次のステップ１０６では、ＲＡＭ５２の履歴情報記憶領域内の履歴情報を全て削除し、本履歴情報管理プログラムは処理終了となる。
【００５１】
これにより、ＲＡＭ５２の履歴情報記憶領域内に不要な履歴情報が残ることが防止される。
【００５２】
なお、本実施の形態では、ジョブ履歴をＨＤＤ５６に記憶させる場合について説明したが、本発明はこれに限定されるものではないく、例えば、ＲＡＭ５２に記憶させてもよい。
【００５３】
また、本実施の形態では、印刷機能やファクシミリ機能、複写機能について履歴情報
を記憶させる場合について説明したが、本発明はこれに限定されるものではなく、実行する際に機能に関する条件の入力がなされる機能であれば何れの機能に適用してもよい。例えば、ファクシミリに関する機能として設けられた宛先登録機能に関して宛先の登録や変更、削除がなされた場合に、ユーザインタフェース２４を介して入力された入力内容を示す情報を履歴情報として記憶させてもよい。
【００５４】
また、本実施の形態では、ユーザインタフェース２４を介して入力された入力内容を示す情報として入力コードを記憶させる場合について説明したが、本発明はこれに限定されるものではなく、例えば、タッチパネルディスプレイの操作領域内におけるタッチ操作された位置の座標情報を記憶させてもよい。
【００５５】
その他、本実施の形態で説明した複合機１０の構成（図１〜図３参照。）は一例であり、本発明の主旨を逸脱しない範囲内において適宜変更可能であることは言うまでもない。
【００５６】
また、本実施の形態で説明した履歴情報管理プログラム（図５参照。）の処理の流れも一例であり、本発明の主旨を逸脱しない範囲内において適宜変更可能であることは言うまでもない。
【図面の簡単な説明】
【００５７】
【図１】実施の形態に係る複合機の全体構成を示す概略図である。
【図２】実施の形態に係る複合機の詳細な構成を示す斜視図である。
【図３】実施の形態に係る複合機の電気系の要部構成を示すブロック図である。
【図４】実施の形態に係る履歴情報記憶領域のデータ構造を模式的に示した模式図である。
【図５】実施の形態に係る履歴情報管理プログラムの処理の流れを示すフローチャートである。
【図６】実施の形態に係る機能別履歴情報のデータ構造を模式的に示した模式図である。
【符号の説明】
【００５８】
１０  複合機
２４  ユーザインタフェース（受付手段）
５０  ＣＰＵ（制御手段）
５２  ＲＡＭ（記憶手段）
５６  ＨＤＤ（記憶手段）
【図１】
2009010742.tif 000003
【図２】
2009010742.tif 000004
【図３】
2009010742.tif 000005
【図４】
2009010742.tif 000006
【図５】
2009010742.tif 000007
【図６】
2009010742.tif 000008